(57)【特許請求の範囲】
【請求項１】
背負枠（４）に対する背負バンド（５）の取付構造であって、
前記背負バンド（５）は、上端部（１５ｂ）が前記背負枠（４）に連結されるバンド本体（１５）と、該バンド本体（１５）の作業者側に固着されるパッド（１６）と、を備え、
前記バンド本体（１５）の上部（１５ａ）と前記パッド（１６）の上部（１６ａ）はそれぞれ所定の長さ寸法だけ互いに分離しており、
前記パッド（１６）の上端部（１６ｂ）を前記背負枠（４）に当接した状態に保持せしめる手段（２０，２１，２２）を備え、
前記背負枠（４）の非背負状態において、前記バンド本体（１５）の前記上部（１５ａ）の張力と前記パッド（１６）の前記上部（１６ａ）の剛性とにより、前記パッド（１６）の前記上端部（１６ｂ）を支点として前記背負いバンド（５）が前記背負枠（４）に対して前方へ向けて立ち上がった状態に保持されることを特徴とする、背負バンドの取付構造。
【請求項２】
前記背負枠（４）に孔（１２）が形成され、前記当接状態保持手段が、前記パッド（１６）の前記上端部（１６ｂ）に取り付けられる補助バンド（２０）を備え、該補助バンド（２０）が前記孔（１２）に挿通されて所定の箇所に固定されることを特徴とする、請求項１に記載の背負バンドの取付構造。
【請求項３】
前記背負枠（４）の上部に背負バンド取付用の棒状部（１１）が形成され、前記バンド本体（１５）の前記上端部（１５ｂ）が前記棒状部（１１）に巻き掛けられて連結金具（１７）で留められ、前記補助バンド（２０）の先端部に前記補助バンド（２０）と交差する方向に延びる巻き付けバンド（２１）が取り付けられ、前記孔（１２）に挿通された前記補助バンド（２０）が前記棒状部（１２）に巻き掛けられて、前記巻き付けバンド（２１）が前記連結金具（１７）を覆い隠すように前記バンド本体（１５）に巻き付けて固定されることを特徴とする、請求項２に記載の背負バンドの取付構造。
【請求項４】
前記バンド本体（１５）の前記上端部（１５ｂ）に前記連結金具（１７）が止着され、該連結金具（１７）が前記バンド本体（１５）を横方向から受け入れるスリット（１８）を有するものである、請求項３に記載の背負バンドの取付構造。
【請求項５】
上端部（１５ｂ）が背負枠（４）に連結されるバンド本体（１５）と、該バンド本体（１５）の作業者側に固着されるパッド（１６）と、を備える背負バンドであって、
前記バンド本体（１５）の上部（１５ａ）と前記パッド（１６）の上部（１６ａ）はそれぞれ所定の長さ寸法だけ互いに分離しており、
前記パッド（１６）の上端部（１６ｂ）を前記背負枠（４）に当接した状態に保持せしめる手段（２０，２１，２２）を備え、
前記背負枠（４）の非背負状態において、前記バンド本体（１５）の前記上部（１５ａ）の張力と前記パッド（１６）の前記上部（１６ａ）の剛性とにより、前記パッド（１６）の前記上端部（１６ｂ）を支点として前記背負枠（４）に対して前方へ向けて立ち上がった状態に保持されることを特徴とする、背負バンド。
【発明の詳細な説明】
【技術分野】
【０００１】
本発明は、背負枠に対する背負バンドの取付構造と、該取付構造を構成する背負バンドに関する。
【背景技術】
【０００２】
例えば、背負式散布機や背負式刈払機、背負式送風機等の背負式作業機においては、原動機等を含む駆動部が背負枠に搭載され、該背負枠の上部に、左右一対の背負バンドの上端部がハの字状に連結され、下端部が前記背負枠の下部の左右に連結される。
【０００３】
従来、背負枠の上部への背負バンドの取付構造として、背負バンドの上端部を背負枠の上枠部に自由に回動できるように取着するものがある。このものは、非背負状態では、背負バンドが背負枠の前面に沿って自重で垂れ下がってしまう。このため、背負枠と背負バンドとの間に腕を通すのに十分な空間がなく、背負う際に作業者が背中越しに背負バンドを探すことになり、背負いにくいという問題がある。また、背負バンドが垂れ下がっていると、背負式作業機の展示販売時に見栄えが悪い等の問題がある。
【０００４】
そこで、背負バンドの垂れ下がりを防止し、背負バンドと背負枠との間に腕や肩を入れるのに適する広い空間を形成するため、種々の提案がなされている。
【０００５】
特許文献１には、背負バンドの上側部分を半剛性とすることが記載されている。特許文献２には、背負枠の上端部に弾性変形自在な突出部を作業者の背中側へ突出するように設け、背負バンドの上端部分の留め部を前記突出部に留めることが記載されている。また、特許文献３には、背負枠への背負バンドの取付状態において、背負バンドの上部をアーチ状に浮き上がらせるための弾性部材を付加するものが記載されている。
【先行技術文献】
【特許文献】
【０００６】
【特許文献１】実開昭６３−６９５７１号公報
【特許文献２】実開平３−３１８７２号公報
【特許文献３】特開２００７−２８９８１６号公報
【発明の概要】
【発明が解決しようとする課題】
【０００７】
しかしながら、前記従来のものは、背負バンドの上部を半剛性としたり、背負バンドの上部を弾性部材によって浮き上がらせようとするものであるため、背負い状態において、作業者肩部に剛性の高いバンド部材が接触して快適性が損なわれたり、繰り返しの使用によって弾性部材自体が破損したり、該弾性部材の弾性が低下し易いという欠点がある。
【０００８】
本発明は、前記のような事情に鑑みてなされたものであり、背負バンドと背負枠との間に腕や肩を入れるのに適する広い空間が形成され、且つ、破損し難く、作業者肩部の快適性が確保可能な背負バンドの取付構造及び背負バンドを提供しようとするものである。
【課題を解決するための手段】
【０００９】
前記課題を解決するため、本発明に係る背負バンドの取付構造は、次の構成とされる。
【００１０】
背負バンドは、上端部が背負枠に連結されるバンド本体と、該バンド本体の作業者側に固着されるパッドと、を備える。前記バンド本体の上部と前記パッドの上部は、それぞれ所定の長さ寸法だけ互いに分離している。前記パッドの上端部を前記背負枠に当接した状態に保持せしめる手段を備える。そして、前記背負枠の非背負状態において、前記バンド本体の前記上部の張力と前記パッドの前記上部の剛性とにより、前記パッドの前記上端部を支点として前記背負いバンドが前記背負枠に対して前方へ向けて立ち上がった状態に保持される（請求項１）。
【００１１】
本発明によれば、前記当接状態保持手段によって前記パッドの前記上端部が前記背負枠に当接した状態に保持される。そして、前記バンド本体の前記上部の張力と前記パッドの前記上部の剛性とによって、前記パッドの前記上端部を支点として前記背負いバンドが前記背負枠に対して前方へ向けて立ち上がった状態に保持される。このため、前記背負枠の非背負状態において、前記背負枠と前記背負バンドとの間に、使用者が腕や肩を入れ易い十分な広さの空間が確保される。よって、背負枠を背負い易い。
【００１２】
また、前記従来の提案のように、部材の剛性や弾性のみで背負バンドを立ち上がらせるものではないので、繰り返しの使用によっても破損し難く、該バンド本体の作業者側に沿って取り付けられるパッドが作業者の肩部に沿い易くなり、作業者肩部の快適性が確保できる。
【００１３】
好適な実施の一形態として、前記背負枠に孔が形成され、前記当接状態保持手段が、前記パッドの前記上端部に取り付けられる補助バンドを備え、該補助バンドが前記孔に挿通されて所定の箇所に固定される態様とすることもできる（請求項２）。
【００１４】
好適な実施の一形態として、次の態様のものも採用可能である（請求項３）。  背負枠の上部に背負バンド取付用の棒状部が形成される。前記バンド本体の前記上端部が前記棒状部に巻き掛けられて連結金具で留められる。前記補助バンドの先端部に前記補助バンドと交差する方向に延びる巻き付けバンドが取り付けられる。前記孔に挿通された前記補助バンドが前記棒状部に巻き掛けられて、前記巻き付けベルトが前記連結金具を覆い隠すように前記バンド本体に巻き付けて固定される。この実施の形態によれば、前記補助バンドは、前記巻き付けバンドによって前記バンド本体に対して固定される。この固定状態において、前記巻き付けバンドにより前記連結金具が覆い隠されるので、該連結金具に作業者の衣類が引っ掛かる等の心配がない。
【００１５】
好適な実施の一形態として、前記バンド本体の前記上端部に前記連結金具が止着され、該連結金具が前記バンド本体を横方向から受け入れるスリットを有するものとすることもできる（請求項４）。この場合、前記スリットに前記バンド本体を挿入するだけで該バンド本体を前記棒状部に連結できるので、該棒状部への前記バンド本体の連結が容易且つ迅速に行える。加えて、前記巻き付けベルトが前記連結金具を覆い隠すように前記バンド本体に巻き付けて固定されることで、前記スリットからの前記バンド本体の予期せぬ脱落が防止できる。
【００１６】
一方、本発明に係る背負バンドは、上端部が背負枠に連結されるバンド本体と、該バンド本体の作業者側に固着されるパッドと、を備える背負バンドであって、前記バンド本体の上部と前記パッドの上部はそれぞれ所定の長さ寸法だけ互いに分離しており、前記パッドの上端部を前記背負枠に当接した状態に保持せしめる手段を備え、前記背負枠の非背負状態において、前記バンド本体の前記上部の張力と前記パッドの前記上部の剛性とにより、前記パッドの前記上端部を支点として前記背負枠に対して前方へ向けて立ち上がった状態に保持されることを特徴とする（請求項５）。
【図面の簡単な説明】
【００１７】
【図１】本発明の実施の一形態に係る背負バンドの取付構造を備えた背負式作業機の左側面図である。
【図２】図１の背負バンドの取付構造の全体斜視図である。
【図３】図１の背負バンドの背負枠への取付方法の説明図である。
【図４】図１の背負バンドの背負枠への取付方法の説明図である。
【図５】図１の背負バンドの背負枠への取付方法の説明図である。
【図６】図１の背負バンドの背負枠への取付方法の説明図である。
【図７】図１の背負バンドの背負枠への取付方法の説明図である。
【図８】図１の背負バンドの背負枠への取付状態の斜視図である。
【発明を実施するための形態】
【００１８】
以下、添付図面を参照して、本発明の実施の一形態について説明する。
【００１９】
図１には、本発明の適用対象の一例として、背負式作業機１が示されている。該背負式作業機１は、作業機の動力源となる原動機２等を含む機体３と、該機体３を防振部材または防振構造を介して支持する背負枠４と、該背負枠４に取り付けられる左右一対の背負バンド５，５と、を備える。前記機体３の具体的な態様は、作業機の種類、例えば、噴霧機、散粉機、刈払機、送風機等によって異なるが、図１にはその一例として、背負式動力噴霧機を示している。したがって、図１の例では、前記機体３として、小形空冷２サイクルガソリンエンジン等の前記原動機２のほか、該原動機２で駆動される噴霧用ポンプ６や液体タンク７等を含んでいる。該液体タンク７内の薬液等は、前記噴霧用ポンプ６で圧送され、図示しない噴霧竿の先端に設けた噴霧ノズルから噴霧される。
【００２０】
前記背負枠４は、水平部８と起立部９とからなる。前記水平部８は、水平方向に板状又は枠状に延びており、前記背負枠４を地面に置く際の接地部となるとともに前記機体３を支持する。前記起立部９は、前記水平部８の前端縁から板状又は枠状に上方へ立ち上がっている。前記起立部９の前面（背負枠４を背負った作業者の背中側の面）には、クッション性を有する背当板１０が取り付けられる。前記背負枠４は、プラスチックや金属パイプ等、前記機体３を支持するのに必要な強度と軽量性とを有する適宜の材料で形成される。
【００２１】
図２に示すように、前記起立部９の上部には、前記左右一対の背負バンド５，５の上側取付部となる左右一対の棒状部１１，１１がある。該左右一対の棒状部１１，１１は前後方向から見てハの字状に位置し、各棒状部１１，１１の下方には孔１２，１２が開いている。これらの孔１２，１２は、前記各棒状部１１，１１を画成して移動時に把手として使用するとともに、前記背負枠４の軽量化にも貢献する。前記左右一対の棒状部１１，１１は、前記起立部９の左右幅方向の中央位置で、上端部同士が互いに連結されている。
【００２２】
前記左右一対の背負バンド５，５は、それぞれの上端部が前記左右一対の棒状部１１，１１のそれぞれに連結され、それぞれの下端部が、前記起立部９の下部の左右両端に配設された下側取付部１３，１３に連結される。本発明において、該各下側取付部１３，１３への取付態様は任意であるが、例えば、前記左右一対の背負バンド５，５の各下端部にＳ字フック１４，１４を取り付け、該各Ｓ字フック１４，１４を前記各下側取付部１３，１３に引っ掛ける等して連結することができる。
【００２３】
前記左右一対の背負バンド５，５は、作業者の両肩に適合するようにそれぞれが互いに左右対称な形状とされているが、少なくとも上端部と下端部の構成に実質的な差異はないので、以下、左右の区別なく同じものとして説明する。
【００２４】
図１及び図２に示すように、前記背負バンド５は、バンド本体１５と、該バンド本体１５の作業者側に固着されるパッド１６と、を備える。該パッド１６は、厚さ３０mm程度のスポンジ体を布で覆ったものとされ、適度のクッション性を有する。これにより、前記バンド本体１５にかかる前記背負枠４と前記機体３の合計荷重を分散させて、局所的に過度な負担がかかることを回避している。尚、前記背負枠４にかかる荷重は前記バンド本体１５のみで支えられ、前記パッド１６は荷重を支えることには関与しない。前記バンド本体１５の上部１５ａと前記パッド１６の上部１６ａはそれぞれ所定の長さ寸法だけ互いに分離している。これは、後で述べるように、前記バンド本体１５の前記上部１５ａの張力と前記パッド１６の前記上部１６ａの剛性とによって、前記パッド１６の前記上部１６ａを浮き上がり状態に保持させ、作業者の肩部形状に沿わせるためである。
【００２５】
図３に示すように、前記バンド本体１５の上端部１５ｂは前記背負枠４に連結される。具体的には、前記バンド本体１５の前記上端部１５ｂが前記棒状部１１に巻き掛けられて連結金具１７で留められる。該連結金具１７は、前記バンド本体１５の前記上端部１５ｂに止着されており、前記バンド本体１５を横方向から受け入れるスリット１８を有する。
【００２６】
前記連結金具の好ましい例として、全体形状が角張ったＳ字状の金具１７を示す。このＳ字状金具１７は、三本の平行なバー１９，１９，１９を備え、隣接するバー１９，１９同士の間に、開口部が互いに逆向きの前記スリット１８，１８を上下に二段備える。図４及び図５に示すように、該各スリット１８，１８は、前記バンド本体１５を横方向から受け入れる。前記Ｓ字状金具１７の一端側のバー１９に前記バンド本体１５の前記上端部１５ｂが止着される。
【００２７】
図３に示すように、前記Ｓ字状金具１７は、前記背負枠４の前側から後側へと前記孔１２内を挿通され、前記棒状部１１の上側から前記背負枠４の前方へと引き回される。その後、図４及び図５に示すように、前記バンド本体１５の上部１５ａを前記二段のスリット１８，１８に横方向から交互に差し入れると、前記バンド本体１５の前記棒状部１１への連結が完了する（図６参照）。
【００２８】
図３に示すように、前記パッド１６の上端部１６ｂには、該上端部１６ｂを前記背負枠４に当接した状態に保持せしめる手段として、補助バンド２０が取り付けられている。該補助バンド２０は、前記孔１２に挿通可能な左右幅を有する。前記補助バンド２０は、前記背負枠４の前側から後側へと前記孔１２に挿通され、所定の箇所に固定される。これにより、前記パッド１６の前記上端部１６ｂが前記背負枠４に当接した状態に維持される。
【００２９】
なお、前記当接状態保持手段は、前記パッド１６の前記上端部１６ｂが所定の位置から下がらないように、前記背負枠４の前記起立部９に対して前記パッド１６の前記上端部１６ｂを当接状態に保持させることができるものであればよい。したがって、前記パッド１６の前記上端部１６ｂに係合部を形成し、前記起立部９に係合受部を形成し、それらを互いに係合させる態様としても良い。
【００３０】
前記パッド１６の前記上端部１６ｂは、前記背負枠４（前記起立部９）に当接することにより前記背負バンド５の横倒れを防止し得る形状及び強度とされる。具体的には、図２及び図３に示すように、前記パッド１６の前記上端部１６ｂは、前記孔１２に入り込んでしまわないように、前記パッド１６の長さ方向に対して略直角方向に、該孔１２よりも大きい左右幅を備え、所定の剛性を有する。前記補助バンド２０は、前記パッド１６の前記上端部１６ｂの左右幅の略中央位置に止着されている。
【００３１】
図１に示すように、前記パッド１６の少なくとも前記上部１６ａ、すなわち、少なくとも前記バンド本体１５との分離点Ｐから先の部分は、前記パッド１６の前記上端部１６ｂと前記背負枠４の前記起立部９との接触部Ｃを支点として、前記バンド本体１５の前記上部１５ａの張力と前記パッド１６の前記上部１６ａの剛性とにより、浮き上がり状態に保持される。したがって、前記パッド１６の少なくとも前記上部１６ａには、前記浮き上がりを可能にするだけの剛性が必要とされるが、前記パッド１６の前記上部１６ａが容易に折れ曲がってしまわない程度であれば足りる。  図３に示すように、前記補助バンド２０の先端部には、該補助バンド２０と交差する方向に延びる巻き付けバンド２１が取り付けられている。該巻き付けバンド２１は、前記補助バンド２０を前記所定の箇所に固定することにより、前記パッド１６の前記上端部１６ｂを前記背負枠４に当接した状態に保持させるためのものである。前記巻き付けバンド２１には、巻き付け後にその巻き付け状態を維持するための留め具２２が設けられている。該留め具２２としては、ボタン式のものや面留め具等、適宜の形式のものを採用することができる。
【００３２】
本実施の形態では、前記補助バンド２０は、留め具付の前記巻き付けバンド２１によって前記バンド本体１５に対して固定される。具体的には、図３に示すように、前記補助バンド２０は、前記背負枠４の前側から後側へと前記孔１２に挿通された後、図７に示すように、前記棒状部１１の上側に巻き掛けられる。そして、前記巻き付けバンド２１を、前記バンド本体１５と結合した図６の状態の前記Ｓ字状金具１７の回りに巻き付けて、前記留め具２２で固定する（図８参照）。
【００３３】
本実施の形態に係る背負バンドの取付構造によれば、図１に示すように、前記補助バンド２０と前記巻き付けバンド２１とによって、前記パッド１６の前記上端部１６ｂが前記背負枠４に当接した状態に保持される。そして、前記バンド本体１５の前記上部１５ａの張力と前記パッド１６の前記上部１６ａの剛性とによって、前記パッド１６の前記上部１６ａが浮き上がり状態に保持される。しかも、前記背負バンド５の横倒れは、前記背負枠４に当接した前記パッド１６の前記上端部１６ｂの形状及び強度によって防止される。このため、前記背負枠４と前記背負バンド５との間に、使用者が腕や肩を入れ易い十分な広さの空間Ｓが確保される。よって、背負枠４を背負い易い。また、前記背負バンド５が前記背負枠４に対して前方へ向けて立ち上がった状態に保持されるので、展示販売時等の意匠性も良い。しかも、前記従来の提案のように、部材の剛性や弾性のみで背負バンド５を立ち上がらせるものではなく、前記バンド本体１５の張力も利用するものであるので、繰り返しの使用によっても破損し難く、また、背負い状態における作業者肩部の快適性が確保できる。
【００３４】
本実施の形態によれば、次の効果も奏される。
【００３５】
前記バンド本体１５も前記補助バンド２０も、前記棒状部１１に対して前記背負枠４の左右方向へ移動可能に連結されるので、浮き上がり状態の前記背負バンド５の左右位置を、孔１２の左右幅内において微調整することができる。よって、より一層背負い易くできる。
【００３６】
前記背負バンド５の構成がシンプルであり、且つ、前記背負枠４に対して工具を必要とせず簡単に取り付けができるので、製造工程が簡略化でき、製造コスト低減にも貢献できる。また、前記背負枠４自体は従来のものと変わりはないので、このことも製造コスト低減に資する。
【００３７】
前記背負バンド５の着脱も容易に行えるので、作業者が背負バンドの交換を行う場合にも便利である。
【００３８】
前記Ｓ字状金具１７の前記各スリット１８，１８に前記バンド本体１５を横から挿入するだけで該バンド本体１５を前記棒状部１１に連結できるので、該棒状部１１への前記バンド本体１５の連結が容易且つ迅速に行える。
【００３９】
前記巻き付けバンド２１により前記Ｓ字状金具１７が覆い隠されるので、作業者の衣類が該Ｓ字状金具１７に引っ掛かる等の心配がない。また、前記巻き付けベルト２１が前記Ｓ字状金具１７を覆い隠すように前記バンド本体１５に巻き付けて固定されることで、前記Ｓ字状金具１７の前記スリット１８からの前記バンド本体１５の予期せぬ脱落が防止できる。
【符号の説明】
【００４０】
４    背負枠
５    背負バンド
１１  棒状部
１２  孔
１５ａ  バンド本体の上部
１５ｂ  バンド本体の上端部
１６    パッド
１６ａ  パッドの上部
１６ｂ  パッドの上端部
１７    連結金具（Ｓ字状金具）
２０    補助バンド（当接状態保持手段）
２１    巻き付けバンド（当接状態保持手段）
２２    留め具（当接状態保持手段）
【図１】
0005877407.tif 000002
【図２】
0005877407.tif 000003
【図３】
0005877407.tif 000004
【図４】
0005877407.tif 000005
【図５】
0005877407.tif 000006
【図６】
0005877407.tif 000007
【図７】
0005877407.tif 000008
【図８】
0005877407.tif 000009